(57)【特許請求の範囲】
【請求項１】
波形厚紙の片面に板状厚紙を固着してなる片段シートにおける該波形厚紙の該片面側の凹部と板状厚紙とにより形成される隙間に玩具花火を挿入するようにしたことを特徴とする玩具花火の包装用具。
【請求項２】
前記片段シートを波形厚紙の前記他面が外側になるようにして略円筒状に形成したことを特徴とする請求項１の玩具花火の包装用具。
【請求項３】
前記片段シートを波形厚紙の前記他面が外側になるようにして断面略渦巻き状に形成したことを特徴とする請求項１の玩具花火の包装用具。
【発明の詳細な説明】
【０００１】
【発明の属する技術分野】
本発明は玩具花火の包装用具に関するものであり、更に詳しくは、複数本のスパークラー、ススキ等の玩具花火を好ましく保護した状態で見映え良く包装するようにした玩具花火の包装用具に係るものである。なお、スパークラーは軸の一部に火薬を塗着してなる玩具花火であり、ススキは軸に固着した筒状体内に火薬を充填してなる玩具花火である。
【０００２】
【従来の技術】
複数本のスパークラー、ススキ等の玩具花火を包装する際には、一般に板紙の片面に玩具花火を粘着テープ等により固定し、該板紙と玩具花火とを透明な袋体内に封入するという手法が用いられている。
【０００３】
【発明が解決しようとする課題】
しかるに、上記従来の玩具花火の包装用具においては次のような問題がある。
【０００４】
（イ）上記従来の包装用具においては、玩具花火は透明な袋体内において板紙の表面から突出した状態にあるため、袋体の外部から加えられる押圧力等により玩具花火が損傷するおそれがある。特にスパークラーは火薬が露出しているため、該火薬が袋体の外部からの押圧力等により損傷するおそれが大きい。また、スパークラーにおける露出した火薬が相互に接触し、擦れて該火薬が脱落するおそれもある。
【０００５】
（ロ）スパークラーは嵩が小さいため、スパークラーを上記従来の包装用具により包装した場合には、該スパークラーは店頭に展示されたときに見映えがせず、顧客の注意を引きがたいという問題がある。
【０００６】
本発明は上記従来の玩具花火の包装用具における上述の如き問題を解決しようとしてなされたものである。
【０００７】
【課題を解決するための手段】
上記課題を解決するために、本発明は下記の玩具花火の包装用具を提供するものである。
【０００８】
（１）波形厚紙の片面に板状厚紙を固着してなる片段シートにおける波形厚紙の該片面側の凹部と板状厚紙とにより形成される隙間に玩具花火を挿入するようにしたことを特徴とする玩具花火の包装用具（請求項１）。
【０００９】
（２）前記片段シートを波形厚紙の前記他面が外側になるようにして略円筒状に形成する（請求項２）。
【００１０】
特許請求の範囲を含む本明細書において波形厚紙の「他面」とは波形厚紙における板状厚紙を固着した片面と反対側の面をいうものとする。
【００１１】
（３）前記片段シートを波形厚紙の前記他面が外側になるようにして断面略渦巻き状に形成する（請求項３）。
【００１２】
【作用】
［請求項１の玩具花火の包装用具］
請求項１の玩具花火の包装用具は主としてススキを包装する際に用いられる。即ち、ススキを包装する場合には、波形厚紙の片面側の凹部と板状厚紙とにより形成される隙間にススキの軸をススキの筒状体を露出させた状態で挿入する。板状厚紙における片面側の各凹部は各凹部間の凸部（図２における符号７’参照）により相互に隔てられており、玩具花火が相互に接離する方向に動くこともないため、波形厚紙の片面側の凹部と板状厚紙とにより形成される各隙間に挿入された玩具花火が相互に接触することはない。また、隙間と隙間との間の間隔に比べて太い筒状体を有するススキの場合には、適宜数個置きの隙間にススキの軸を挿入することによりススキの筒状体が相互に接触しないようになす。図３参照。波形厚紙の片面側の凹部と板状厚紙とにより形成される隙間に玩具花火を挿入する作業は極めて容易且つ能率的であり、玩具花火の使用者が該隙間から玩具花火を取り出す作業も極めて容易である。波形厚紙の片面側の凹部と板状厚紙とにより形成される隙間に玩具花火を挿入するという包装形態は斬新なものであり、看者の注意を喚起する。
【００１３】
［請求項２の玩具花火の包装用具］
請求項２の玩具花火の包装用具においては、片段シートを波形厚紙の他面が外側になるように略円筒状に形成しているため、嵩の小さなスパークラー等の玩具花火を包装した場合でも、包装全体が大きな立体的なものとなり、看者の注意を引くものとなる。
【００１４】
［請求項３の玩具花火の包装用具］
請求項３の玩具花火の包装用具においては、片段シートを波形厚紙の他面が外側になるように断面略渦巻き状に形成しているため、嵩の小さなスパークラー等の玩具花火を包装した場合でも、包装全体が大きな立体的なものとなり、看者の注意を引くものとなる。
【００１５】
【発明の実施の形態】
次に、本発明の実施の形態を添付図面に従って説明する。
符号１に示すものは片段シートである。片段シート１は波形に形成した波形厚紙３の片面に板状厚紙５を固着してなるものである。片段シート１における波形厚紙３の他面側の凹部７に玩具花火９を挟着する。図示の事例における玩具花火９はスパークラーである。符号９ａに示すものはスパークラー９の軸、符号９ｂに示すものはスパークラー９の軸９ａに塗着された火薬である。更に、片段シート１と玩具花火９とを袋体１１内に封入する。図１、図２参照。袋体１１は好ましくはビニール等の透明の材料により形成する。なお、透明の袋体１１には適宜の印刷が施された袋体が含まれるものであることはいうまでもない。
【００１６】
波形厚紙３の片面に板状厚紙５を固着してなる片段シート１における波形厚紙３の該片面側の凹部１３と板状厚紙３とにより形成される隙間１５に玩具花火１７を挿入するようにしてもよい。この場合にも、片段シート１と玩具花火１７とを例えばビニール等の透明の袋体１１内に封入してもよい。図示の事例における玩具花火１７はススキである。符号１７ａに示すものはススキの軸、符号１７ｂに示すものは軸１７ａに固着された筒状体である。なお、筒状体１７ｂには火薬が充填される。図１、図２参照。
【００１７】
図３、図４に示す事例においては、片段シート１を波形厚紙３の前記他面が外側になるようにして略円筒状に形成している。この事例においては、略円筒状に形成された片段シート１の中央スペース２１内に別の玩具花火２３を収納してもよい。この玩具花火２３は略円筒状に形成された片段シート１の芯としての役割をも果たすものである。
【００１８】
図５に示す事例においては、片段シート１を波形厚紙３の前記他面が外側になるようにして断面略渦巻き状に形成している。この事例においても、略渦巻き状に形成された片段シート１の中央スペース２５内に別の玩具花火２７を収納してもよい。この玩具花火２７は略円筒状に形成された片段シート１の芯としての役割をも果たすものである。
【００１９】
【発明の効果】
［請求項１の玩具花火の包装用具］
板状厚紙における片面側の各凹部は各凹部間の凸部により相互に隔てられており、玩具花火が相互に接離する方向に動くこともないため、波形厚紙の片面側の凹部と板状厚紙とにより形成される各隙間に挿入された玩具花火が相互に接触することはない。また、隙間と隙間との間の間隔に比べて太い筒状体を有するススキの場合には、適宜数個置きの隙間にススキの軸を挿入することによりススキの筒状体が相互に接触しないようにすることができる。波形厚紙の片面側の凹部と板状厚紙とにより形成される隙間に玩具花火を挿入する作業は極めて容易且つ能率的であり、玩具花火の使用者が該隙間から玩具花火を取り出す作業も極めて容易である。波形厚紙の片面側の凹部と板状厚紙とにより形成される隙間に玩具花火を挿入するという包装形態は斬新なものであり、看者の注意を喚起する。
【００２０】
［請求項２の玩具花火の包装用具］
請求項２の玩具花火の包装用具においては、片段シートを波形厚紙の他面が外側になるように略円筒状に形成しているため、嵩の小さなスパークラー等の玩具花火を包装した場合でも、包装全体が大きな立体的なものとなり、看者の注意を引くものとなる。請求項２の包装用具による玩具花火の包装形態も極めて斬新なものである。
【００２１】
［請求項３の玩具花火の包装用具］
請求項３の玩具花火の包装用具においては、片段シートを波形厚紙の他面が外側になるように断面略渦巻き状に形成しているため、嵩の小さなスパークラー等の玩具花火を包装した場合でも、包装全体が大きな立体的なものとなり、看者の注意を引くものとなる。請求項３の包装用具による玩具花火の包装形態も極めて斬新なものである。
【図面の簡単な説明】
【図１】本発明による玩具花火の包装用具の一例を示す斜視図である。
【図２】同上包装用具の断面図である。
【図３】本発明による玩具花火の包装用具の別の一例を示す斜視図である。
【図４】同上包装用具の断面図である。
【図５】本発明による玩具花火の包装用具の更に別の一例を示す平面図である。
【符号の説明】
１  片段シート
３  波形厚紙
５  板状厚紙
７  凹部
９  玩具花火
９ａ  軸
９ｂ  火薬
１１  袋体
１３  凹部
１５  隙間
１７  玩具花火
１７ａ  軸
１７ｂ  筒状体
２１  中央スペース
２３  玩具花火
２５  中央スペース
２７  玩具花火
【図１】
0004188510.tif 000002
【図２】
0004188510.tif 000003
【図３】
0004188510.tif 000004
【図４】
0004188510.tif 000005
【図５】
0004188510.tif 000006